(57)【要約】【課題】ロール紙に記録を実行する際に、全ての記録を終える前にロール紙の終端に達して最後まで記録を実行できず、記録が途中で終わってしまうことを防止する。【解決手段】ロール紙ＲＰの記録終了予定位置をロール紙終端検出手段の終端検出位置まで搬送する動作を開始する（ステップＳ１）。ロール紙ＲＰの記録終了予定位置をロール紙終端検出手段の終端検出位置まで搬送する間にロール紙ＲＰの終端が検出された場合には（ステップＳ２でＹｅｓ）、ロール紙ＲＰに対する当該記録データの記録を実行せずにロール紙ＲＰを排出する（ステップＳ５）。ロール紙ＲＰの終端が検出されなかった場合には（ステップＳ２でＮｏの後、ステップＳ３でＹｅｓ）、ロール紙ＲＰを元の位置まで逆送してからロール紙ＲＰに対する当該記録データの記録を実行する（ステップＳ４）。【選択図】　　　　図３
2004067343.tif 000002
【特許請求の範囲】
【請求項１】
所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送されるロール紙の終端を検出可能なロール紙終端検出手段とを備えた記録装置におけるロール紙記録制御方法であって、
記録実行前の記録データの記録領域サイズに基づいて、記録実行前にロール紙の記録終了予定位置を前記ロール紙終端検出手段の検出位置まで前記搬送方向へ搬送し、搬送した時点で前記ロール紙の終端が前記ロール紙終端検出手段によって検出されていなければ、当該記録データを最後まで記録可能な前記ロール紙の未記録領域が残っていると判定して前記ロール紙を元の位置まで逆送してから前記ロール紙に対する当該記録データの記録を実行し、搬送した時点で前記ロール紙の終端が前記ロール紙終端検出手段によって検出されていれば、当該記録データを最後まで記録可能な前記ロール紙の未記録領域が残っていないと判定して前記ロール紙に対する当該記録データの記録を実行しない、ことを特徴としたロール紙記録制御方法。
【請求項２】
請求項１において、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する工程を有し、
記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行し、
前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定し、当該記録データを最後まで記録可能な前記ロール紙の未記録領域が残っていると判定した場合には、前記ロール紙に対する記録を実行し、当該記録データを最後まで記録可能な前記ロール紙の未記録領域が残っていないと判定した場合には、前記ロール紙に対する当該記録データの記録を実行しない、ことを特徴としたロール紙記録制御方法。
【請求項３】
請求項１又は２において、前記ロール紙の残量が一定量未満になるまでは、当該記録データを最後まで記録可能な前記ロール紙の未記録領域が残っていることを確認せずに、前記ロール紙に対する記録を実行する、ことを特徴としたロール紙記録制御方法。
【請求項４】
所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送されるロール紙の終端を検出可能なロール紙終端検出手段とを備えた記録装置におけるロール紙記録制御方法であって、
記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する工程を有し、
記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行し、
前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定し、当該記録データを最後まで記録可能な前記ロール紙の未記録領域が残っていると判定した場合には、前記ロール紙に対する記録を実行し、当該記録データを最後まで記録可能な前記ロール紙の未記録領域が残っていないと判定した場合には、前記ロール紙に対する当該記録データの記録を実行しない、ことを特徴としたロール紙記録制御方法。
【請求項５】
請求項１〜４のいずれか１項において、当該記録データを最後まで記録可能な前記ロール紙の未記録領域が残っていないと判定して前記ロール紙に対する当該記録データの記録を実行しない場合には、前記ロール紙を終端まで排出する、ことを特徴としたロール紙記録制御方法。
【請求項６】
請求項５において、当該記録データの記録を実行せずに前記ロール紙を終端まで排出した後、新しいロール紙が給紙された時点で当該記録データの記録を実行する、ことを特徴としたロール紙記録制御方法。
【請求項７】
所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送される前記ロール紙の終端を検出可能なロール紙終端検出手段と、前記ロール紙に対する記録制御を実行するロール紙記録制御手段とを備えた記録装置であって、
前記ロール紙記録制御手段は、記録実行前の記録データの記録領域サイズに基づいて、記録実行前にロール紙の記録終了予定位置を前記ロール紙終端検出手段の検出位置まで前記搬送方向へ搬送し、搬送した時点で前記ロール紙の終端が前記ロール紙終端検出手段によって検出されていなければ、当該記録データを最後まで記録可能な前記ロール紙の未記録領域が残っていると判定して前記ロール紙を元の位置まで逆送してから前記ロール紙に対する当該記録データの記録を実行し、搬送した時点で前記ロール紙の終端が前記ロール紙終端検出手段によって検出されていれば、当該記録データを最後まで記録可能な前記ロール紙の未記録領域が残っていないと判定して前記ロール紙に対する当該記録データの記録を実行しない、ことを特徴とした記録装置。
【請求項８】
請求項７において、前記ロール紙記録制御手段は、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する手段を有し、
記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行し、
前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定し、当該記録データを最後まで記録可能な前記ロール紙の未記録領域が残っていると判定した場合には、前記ロール紙に対する記録を実行し、当該記録データを最後まで記録可能な前記ロール紙の未記録領域が残っていないと判定した場合には、前記ロール紙に対する当該記録データの記録を実行しない、ことを特徴とした記録装置。
【請求項９】
請求項７又は８において、前記ロール紙の残量が一定量以上あるか否かを検出するロール紙残量検出手段を備え、前記ロール紙記録制御手段は、前記ロール紙残量検出手段によって検出された前記ロール紙の残量が一定量未満になるまでは、当該記録データを最後まで記録可能な前記ロール紙の未記録領域が残っていることを確認せずに、前記ロール紙に対する記録を実行する、ことを特徴とした記録装置。
【請求項１０】
所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送される前記ロール紙の終端を検出可能なロール紙終端検出手段と、前記ロール紙に対する記録制御を実行するロール紙記録制御手段とを備えた記録装置であって、
前記ロール紙記録制御手段は、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する手段を有し、
記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行し、
前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定し、当該記録データを最後まで記録可能な前記ロール紙の未記録領域が残っていると判定した場合には、前記ロール紙に対する記録を実行し、当該記録データを最後まで記録可能な前記ロール紙の未記録領域が残っていないと判定した場合には、前記ロール紙に対する当該記録データの記録を実行しない、ことを特徴とした記録装置。
【請求項１１】
請求項７〜１０のいずれか１項において、前記ロール紙記録制御手段は、当該記録データを最後まで記録可能な前記ロール紙の未記録領域が残っていないと判定して前記ロール紙に対する当該記録データの記録を実行しない場合には、前記ロール紙を終端まで排出する、ことを特徴とした記録装置。
【請求項１２】
請求項１１において、前記ロール紙記録制御手段は、当該記録データの記録を実行せずに前記ロール紙を終端まで排出した後、新しいロール紙が給紙された時点で当該記録データの記録を実行する、ことを特徴とした記録装置。
【請求項１３】
請求項７〜１２のいずれか１項において、前記ロール紙終端検出手段は、前記記録実行手段より前記搬送方向の上流側に配設され、前記ロール紙搬送手段によって搬送される前記ロール紙に係合して前記ロール紙の有無を検出するロール紙検出機構を有している、ことを特徴とした記録装置。
【請求項１４】
請求項７〜１３のいずれか１項において、前記ロール紙終端検出手段は、前記ロール紙の終端近傍に付されている目印を検出可能な構成を成している、ことを特徴とした記録装置。
【請求項１５】
所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送される前記ロール紙の終端を検出可能なロール紙終端検出手段とを備えた記録装置において、前記ロール紙に対する記録制御をコンピュータに実行させるためのロール紙記録制御プログラムであって、
記録実行前の記録データの記録領域サイズに基づいて、記録実行前にロール紙の記録終了予定位置を前記ロール紙終端検出手段の検出位置まで前記搬送方向へ搬送する手順と、
搬送した時点で前記ロール紙の終端が前記ロール紙終端検出手段によって検出されていなければ、当該記録データを最後まで記録可能な前記ロール紙の未記録領域が残っていると判定して前記ロール紙を元の位置まで逆送してから前記ロール紙に対する当該記録データの記録を実行する手順と、
搬送した時点で前記ロール紙の終端が前記ロール紙終端検出手段によって検出されていれば、当該記録データを最後まで記録可能な前記ロール紙の未記録領域が残っていないと判定して前記ロール紙に対する当該記録データの記録を実行しない手順とを有する、ことを特徴としたロール紙記録制御プログラム。
【請求項１６】
請求項１５において、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する手順と、
記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行する手順と、
前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定する手順と、
当該記録データを最後まで記録可能な前記ロール紙の未記録領域が残っていると判定した場合には、前記ロール紙に対する記録を実行する手順と、
当該記録データを最後まで記録可能な前記ロール紙の未記録領域が残っていないと判定した場合には、前記ロール紙に対する当該記録データの記録を実行しない手順とを有する、ことを特徴としたロール紙記録制御プログラム。
【請求項１７】
請求項１５又は１６において、前記記録装置は、前記ロール紙の残量が一定量以上あるか否かを検出するロール紙残量検出手段を備え、前記ロール紙残量検出手段によって検出された前記ロール紙の残量が一定量未満になるまでは、当該記録データを最後まで記録可能な前記ロール紙の未記録領域が残っていることを確認せずに、前記ロール紙に対する記録を実行する手順を有する、ことを特徴としたロール紙記録制御プログラム。
【請求項１８】
所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送される前記ロール紙の終端を検出可能なロール紙終端検出手段とを備えた記録装置において、前記ロール紙に対する記録制御をコンピュータに実行させるためのロール紙記録制御プログラムであって、
記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する手順と、
記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行する手順と、
前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定する手順と、
当該記録データを最後まで記録可能な前記ロール紙の未記録領域が残っていると判定した場合には、前記ロール紙に対する記録を実行する手順と、
当該記録データを最後まで記録可能な前記ロール紙の未記録領域が残っていないと判定した場合には、前記ロール紙に対する当該記録データの記録を実行しない手順とを有する、ことを特徴としたロール紙記録制御プログラム。
【請求項１９】
請求項１５〜１８のいずれか１項において、当該記録データを最後まで記録可能な前記ロール紙の未記録領域が残っていないと判定して前記ロール紙に対する当該記録データの記録を実行しない場合には、前記ロール紙を終端まで排出する手順を有する、ことを特徴としたロール紙記録制御プログラム。
【請求項２０】
請求項１９において、当該記録データの記録を実行せずに前記ロール紙を終端まで排出した後、新しいロール紙が給紙された時点で当該記録データの記録を実行する手順を有する、ことを特徴としたロール紙記録制御プログラム。
【発明の詳細な説明】
【０００１】
【発明の属する技術分野】
本願発明は、長尺な記録紙がロール状に巻かれた、いわゆるロール紙に記録実行可能な記録装置、及び該記録装置におけるロール紙記録制御方法、並びにロール紙記録制御プログラムに関する。
【０００２】
【従来の技術】
長尺な記録紙がロール状に巻かれた、いわゆるロール紙は、例えばパノラマサイズの画像や非定形サイズの画像等を記録装置で記録する際に適しており、その利便性から広く一般的に普及しつつある。そのため、ロール紙に記録実行可能な構成を成す記録装置が普及しつつある。
【０００３】
【発明が解決しようとする課題】
しかしながら、ロール紙は、所定のロール紙幅に対する記録領域の長さを任意に設定可能であるという利便性がある反面、長尺な記録紙がロール状に巻かれた状態であることから、巻かれているロール紙の終端までの長さを正確に識別することができないという問題がある。そのため、ロール紙の残りが少ない状態で、いざ記録を実行してみたら長さが足りずに、全ての記録を終える前にロール紙の終端に達して最後まで記録を実行できずに記録が途中で終わってしまい、そこまでの記録が無駄なものになってしまう虞があった。
【０００４】
本願発明は、このような状況に鑑み成されたものであり、その課題は、ロール紙に記録を実行する際に、全ての記録を終える前にロール紙の終端に達して最後まで記録を実行できず、記録が途中で終わってしまうことを防止することにある。
【０００５】
【課題を解決するための手段】
上記課題を達成するため、本願請求項１に記載の発明は、所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送されるロール紙の終端を検出可能なロール紙終端検出手段とを備えた記録装置におけるロール紙記録制御方法であって、記録実行前の記録データの記録領域サイズに基づいて、記録実行前にロール紙の記録終了予定位置を前記ロール紙終端検出手段の検出位置まで前記搬送方向へ搬送し、搬送した時点で前記ロール紙の終端が前記ロール紙終端検出手段によって検出されていなければ、当該記録データを最後まで記録可能な前記ロール紙の未記録領域が残っていると判定して前記ロール紙を元の位置まで逆送してから前記ロール紙に対する当該記録データの記録を実行し、搬送した時点で前記ロール紙の終端が前記ロール紙終端検出手段によって検出されていれば、当該記録データを最後まで記録可能な前記ロール紙の未記録領域が残っていないと判定して前記ロール紙に対する当該記録データの記録を実行しない、ことを特徴としたロール紙記録制御方法である。
【０００６】
ロール紙に対して記録を実行する前に、まず、記録実行前の記録データの記録領域サイズに基づいて、ロール紙の記録終了予定位置をロール紙終端検出手段の検出位置まで搬送方向へ搬送する。搬送した時点でロール紙の終端がロール紙終端検出手段によって検出されていなければ、当該記録データを最後まで記録可能なロール紙の未記録領域が残っていることになるので、それによって、当該記録データの全てをロール紙に記録できるか否かを確認することができる。そして、当該記録データを最後まで記録可能なロール紙の未記録領域が残っていることを確認した後に、つまり、当該記録データを最後まで記録可能であるということを確認した後に、ロール紙を元の位置まで逆送（搬送方向と逆方向へ送る）してロール紙に対する記録を実行し、当該記録データを最後まで記録可能なロール紙の未記録領域が残っていないと判定した場合には、記録を実行しないので、記録途中でロール紙が不足して当該記録データを最後までロール紙に記録できないことを防止することができる。
【０００７】
これにより、本願請求項１に記載の発明に係るロール紙記録制御方法によれば、ロール紙に対して記録を実行する前に、当該記録データを最後まで記録可能なロール紙の未記録領域が残っているか否かを確認することができるので、ロール紙に記録を実行する際に、全ての記録を終える前にロール紙の終端に達して最後まで記録を実行できず、記録が途中で終わってしまうことを防止することができるという作用効果が得られる。
【０００８】
本願請求項２に記載の発明は、請求項１において、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する工程を有し、記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行し、前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定し、当該記録データを最後まで記録可能な前記ロール紙の未記録領域が残っていると判定した場合には、前記ロール紙に対する記録を実行し、当該記録データを最後まで記録可能な前記ロール紙の未記録領域が残っていないと判定した場合には、前記ロール紙に対する当該記録データの記録を実行しない、ことを特徴としたロール紙記録制御方法である。
【０００９】
記録実行中にロール紙の終端を検出した時点で、ロール紙の残りがあとわずかしか無いことが分かるとともに、その終端の検出位置から残りのロール紙の長さを検出することができる。そこで、まず、記録実行中にロール紙の終端を検出した時点で、記録実行手段の記録実行位置からロール紙終端検出手段の検出位置までの長さをロール紙の未記録領域長として記憶媒体に記憶する。そして、ロール紙の終端検出以後、ロール紙への記録実行中にロール紙が搬送される度に、その搬送量を未記録領域長から減算し、減算した値で未記録領域長を更新する。それによって、ロール紙終端検出後の残りの長さを的確に検出することができる。
【００１０】
ロール紙の終端が検出された後は、次の記録データをロール紙へ記録する前にロール紙の記録終了予定位置は、ロール紙終端検出手段の検出位置より搬送方向の下流側にあることになる。そのような場合には、記憶手段に記憶されている未記録領域長と当該記録データの記録領域長を比較して、当該記録データを最後まで記録可能なロール紙の未記録領域が残っているか否かを判定する。そして、当該記録データを最後まで記録可能なロール紙の未記録領域が残っていると判定した場合には、つまり、記憶媒体に記憶されている未記録領域長が当該記録データの記録領域長以上ある場合には、ロール紙に対する記録を実行する。一方、当該記録データを最後まで記録可能なロール紙の未記録領域が残っていないと判定した場合には、つまり、記憶媒体に記憶されている未記録領域長が当該記録データの記録領域長より短い場合には、ロール紙に対する当該記録データの記録を実行しない。それによって、記録途中でロール紙が無くなってしまい、それまでの記録が無駄になってしまうことを防止することができる。
【００１１】
これにより、本願請求項２に記載の発明に係るロール紙記録制御方法によれば、本願請求項１に記載の発明による作用効果に加えて、ロール紙終端検出手段によってロール紙の終端が検出された後は、ロール紙の終端を検出することによって算出されるロール紙の未記録領域長からロール紙に対して記録を実行する前に、当該記録データを最後まで記録可能か否かを判定することができるので、ロール紙終端検出手段によってロール紙の終端が検出された後にロール紙に記録を実行する際に、全ての記録を終える前にロール紙の終端に達して最後まで記録を実行できず、記録が途中で終わってしまうことを防止することができるという作用効果が得られる。
【００１２】
本願請求項３に記載の発明は、請求項１又は２において、前記ロール紙の残量が一定量未満になるまでは、当該記録データを最後まで記録可能な前記ロール紙の未記録領域が残っていることを確認せずに、前記ロール紙に対する記録を実行する、ことを特徴としたロール紙記録制御方法である。
【００１３】
記録実行毎にロール紙の未記録領域と記録データの記録領域とを比較すると、その度にロール紙の搬送と逆送とを繰り返すことになり、それによって、記録実行のスループットが低下することになる。また、ロール紙が大量に残っている状態では、記録データを最後まで記録することが可能であることは間違いなく、未記録領域と記録データの記録領域とを比較するまでもない。そこで、ロール紙の残量が一定量未満になるまでは、未記録領域と記録データの記録領域とを比較せずに記録を実行することによって、ロール紙が十分残っているときに無駄にロール紙の搬送と逆送とを繰り返すことを防止することができる。
【００１４】
これにより、本願請求項３に記載の発明に係るロール紙記録制御方法によれば、本願請求項１又は２に記載の発明による作用効果に加えて、ロール紙が十分残っているときに無駄にロール紙の搬送と逆送とを繰り返してしまうことを防止することができるので、記録実行前にロール紙の記録終了予定位置をロール紙終端検出手段の検出位置まで搬送し、元の位置まで逆送してから記録を開始することによるスループットの低下を最小限に抑えることができるという作用効果が得られる。
【００１５】
本願請求項４に記載の発明は、所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送されるロール紙の終端を検出可能なロール紙終端検出手段とを備えた記録装置におけるロール紙記録制御方法であって、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する工程を有し、記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行し、前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定し、当該記録データを最後まで記録可能な前記ロール紙の未記録領域が残っていると判定した場合には、前記ロール紙に対する記録を実行し、当該記録データを最後まで記録可能な前記ロール紙の未記録領域が残っていないと判定した場合には、前記ロール紙に対する当該記録データの記録を実行しない、ことを特徴としたロール紙記録制御方法である。
【００１６】
本願請求項４に記載の発明に係るロール紙記録制御方法によれば、ロール紙終端検出手段によってロール紙の終端が検出された後は、ロール紙の終端を検出することによって算出されるロール紙の未記録領域長からロール紙に対して記録を実行する前に、当該記録データを最後まで記録可能か否かを判定することができるので、ロール紙終端検出手段によってロール紙の終端が検出された後にロール紙に記録を実行する際に、全ての記録を終える前にロール紙の終端に達して最後まで記録を実行できず、記録が途中で終わってしまうことを防止することができるという作用効果が得られる。
【００１７】
本願請求項５に記載の発明は、請求項１〜４のいずれか１項において、当該記録データを最後まで記録可能な前記ロール紙の未記録領域が残っていないと判定して前記ロール紙に対する当該記録データの記録を実行しない場合には、前記ロール紙を終端まで排出する、ことを特徴としたロール紙記録制御方法である。
【００１８】
本願請求項５に記載の発明に係るロール紙記録制御方法によれば、本願請求項１〜４のいずれか１項に記載の発明による作用効果に加えて、ロール紙の未記録領域が足りない場合には、ロール紙を排出することによって、そのことをユーザーに知らせることができるとともに、新しいロール紙をセットすることをユーザーに促すことができるという作用効果が得られる。
【００１９】
本願請求項６に記載の発明は、請求項５において、当該記録データの記録を実行せずに前記ロール紙を終端まで排出した後、新しいロール紙が給紙された時点で当該記録データの記録を実行する、ことを特徴としたロール紙記録制御方法である。
【００２０】
本願請求項６に記載の発明に係るロール紙記録制御方法によれば、本願請求項５に記載の発明による作用効果に加えて、ロール紙の未記録領域が足りずに、当該記録データの記録を実行せずにロール紙を排出した後、新しいロール紙が給紙された時点で当該記録データの記録を実行するので、当該記録データの記録実行前にロール紙が足りなくても当該記録データの記録操作を再度やり直すことなく、新しいロール紙に実行することができるという作用効果が得られる。
【００２１】
本願請求項７に記載の発明は、所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送される前記ロール紙の終端を検出可能なロール紙終端検出手段と、前記ロール紙に対する記録制御を実行するロール紙記録制御手段とを備えた記録装置であって、前記ロール紙記録制御手段は、記録実行前の記録データの記録領域サイズに基づいて、記録実行前にロール紙の記録終了予定位置を前記ロール紙終端検出手段の検出位置まで前記搬送方向へ搬送し、搬送した時点で前記ロール紙の終端が前記ロール紙終端検出手段によって検出されていなければ、当該記録データを最後まで記録可能な前記ロール紙の未記録領域が残っていると判定して前記ロール紙を元の位置まで逆送してから前記ロール紙に対する当該記録データの記録を実行し、搬送した時点で前記ロール紙の終端が前記ロール紙終端検出手段によって検出されていれば、当該記録データを最後まで記録可能な前記ロール紙の未記録領域が残っていないと判定して前記ロール紙に対する当該記録データの記録を実行しない、ことを特徴とした記録装置である。
本願請求項７に記載の発明に係る記録装置によれば、記録装置において、前述した本願請求項１に記載の発明と同様の作用効果を得ることができる。
【００２２】
本願請求項８に記載の発明は、請求項７において、前記ロール紙記録制御手段は、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する手段を有し、記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行し、前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定し、当該記録データを最後まで記録可能な前記ロール紙の未記録領域が残っていると判定した場合には、前記ロール紙に対する記録を実行し、当該記録データを最後まで記録可能な前記ロール紙の未記録領域が残っていないと判定した場合には、前記ロール紙に対する当該記録データの記録を実行しない、ことを特徴とした記録装置である。
本願請求項８に記載の発明に係る記録装置によれば、記録装置において、前述した本願請求項２に記載の発明と同様の作用効果を得ることができる。
【００２３】
本願請求項９に記載の発明は、請求項７又は８において、前記ロール紙の残量が一定量以上あるか否かを検出するロール紙残量検出手段を備え、前記ロール紙記録制御手段は、前記ロール紙残量検出手段によって検出された前記ロール紙の残量が一定量未満になるまでは、当該記録データを最後まで記録可能な前記ロール紙の未記録領域が残っていることを確認せずに、前記ロール紙に対する記録を実行する、ことを特徴とした記録装置である。
本願請求項９に記載の発明に係る記録装置によれば、記録装置において、前述した本願請求項３に記載の発明と同様の作用効果を得ることができる。
【００２４】
本願請求項１０に記載の発明は、所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送される前記ロール紙の終端を検出可能なロール紙終端検出手段と、前記ロール紙に対する記録制御を実行するロール紙記録制御手段とを備えた記録装置であって、前記ロール紙記録制御手段は、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する手段を有し、記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行し、前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定し、当該記録データを最後まで記録可能な前記ロール紙の未記録領域が残っていると判定した場合には、前記ロール紙に対する記録を実行し、当該記録データを最後まで記録可能な前記ロール紙の未記録領域が残っていないと判定した場合には、前記ロール紙に対する当該記録データの記録を実行しない、ことを特徴とした記録装置である。
本願請求項１０に記載の発明に係る記録装置によれば、記録装置において、前述した本願請求項４に記載の発明と同様の作用効果を得ることができる。
【００２５】
本願請求項１１に記載の発明は、請求項７〜１０のいずれか１項において、前記ロール紙記録制御手段は、当該記録データを最後まで記録可能な前記ロール紙の未記録領域が残っていないと判定して前記ロール紙に対する当該記録データの記録を実行しない場合には、前記ロール紙を終端まで排出する、ことを特徴とした記録装置である。
本願請求項１１に記載の発明に係る記録装置によれば、記録装置において、前述した本願請求項５に記載の発明と同様の作用効果を得ることができる。
【００２６】
本願請求項１２に記載の発明は、請求項１１において、前記ロール紙記録制御手段は、当該記録データの記録を実行せずに前記ロール紙を終端まで排出した後、新しいロール紙が給紙された時点で当該記録データの記録を実行する、ことを特徴とした記録装置である。
本願請求項１２に記載の発明に係る記録装置によれば、記録装置において、前述した本願請求項６に記載の発明と同様の作用効果を得ることができる。
【００２７】
本願請求項１３に記載の発明は、請求項７〜１２のいずれか１項において、前記ロール紙終端検出手段は、前記記録実行手段より前記搬送方向の上流側に配設され、前記ロール紙搬送手段によって搬送される前記ロール紙に係合して前記ロール紙の有無を検出するロール紙検出機構を有している、ことを特徴とした記録装置である。
【００２８】
本願請求項１３に記載の発明に係る記録装置によれば、記録実行手段の上流側に配設されたロール紙の検出手段によって、ロール紙の終端を検出することができ、それによって、本願請求項７〜１２のいずれか１項に記載の発明による作用効果を得ることができる。
【００２９】
本願請求項１４に記載の発明は、請求項７〜１３のいずれか１項において、前記ロール紙終端検出手段は、前記ロール紙の終端近傍に付されている目印を検出可能な構成を成している、ことを特徴とした記録装置である。
【００３０】
本願請求項１４に記載の発明に係る記録装置によれば、ロール紙の終端近傍に付されている目印を検出することによって、ロール紙の終端を検出することができ、それによって、本願請求項７〜１３のいずれか１項に記載の発明による作用効果を得ることができる。
【００３１】
本願請求項１５に記載の発明は、所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送される前記ロール紙の終端を検出可能なロール紙終端検出手段とを備えた記録装置において、前記ロール紙に対する記録制御をコンピュータに実行させるためのロール紙記録制御プログラムであって、記録実行前の記録データの記録領域サイズに基づいて、記録実行前にロール紙の記録終了予定位置を前記ロール紙終端検出手段の検出位置まで前記搬送方向へ搬送する手順と、搬送した時点で前記ロール紙の終端が前記ロール紙終端検出手段によって検出されていなければ、当該記録データを最後まで記録可能な前記ロール紙の未記録領域が残っていると判定して前記ロール紙を元の位置まで逆送してから前記ロール紙に対する当該記録データの記録を実行する手順と、搬送した時点で前記ロール紙の終端が前記ロール紙終端検出手段によって検出されていれば、当該記録データを最後まで記録可能な前記ロール紙の未記録領域が残っていないと判定して前記ロール紙に対する当該記録データの記録を実行しない手順とを有する、ことを特徴としたロール紙記録制御プログラムである。
【００３２】
本願請求項１５に記載の発明に係るロール紙記録制御プログラムによれば、前述した本願請求項１に記載の発明と同様の作用効果を得ることができるとともに、このロール紙記録制御プログラムを実行することができる任意の記録装置に、前述した本願請求項１に記載の発明と同様の作用効果をもたらすことができる。
【００３３】
本願請求項１６に記載の発明は、請求項１５において、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する手順と、記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行する手順と、前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定する手順と、当該記録データを最後まで記録可能な前記ロール紙の未記録領域が残っていると判定した場合には、前記ロール紙に対する記録を実行する手順と、当該記録データを最後まで記録可能な前記ロール紙の未記録領域が残っていないと判定した場合には、前記ロール紙に対する当該記録データの記録を実行しない手順とを有する、ことを特徴としたロール紙記録制御プログラムである。
【００３４】
本願請求項１６に記載の発明に係るロール紙記録制御プログラムによれば、前述した本願請求項２に記載の発明と同様の作用効果を得ることができるとともに、このロール紙記録制御プログラムを実行することができる任意の記録装置に、前述した本願請求項２に記載の発明と同様の作用効果をもたらすことができる。
【００３５】
本願請求項１７に記載の発明は、請求項１５又は１６において、前記記録装置は、前記ロール紙の残量が一定量以上あるか否かを検出するロール紙残量検出手段を備え、前記ロール紙残量検出手段によって検出された前記ロール紙の残量が一定量未満になるまでは、当該記録データを最後まで記録可能な前記ロール紙の未記録領域が残っていることを確認せずに、前記ロール紙に対する記録を実行する手順を有する、ことを特徴としたロール紙記録制御プログラムである。
【００３６】
本願請求項１７に記載の発明に係るロール紙記録制御プログラムによれば、前述した本願請求項３に記載の発明と同様の作用効果を得ることができるとともに、このロール紙記録制御プログラムを実行することができる任意の記録装置に、前述した本願請求項３に記載の発明と同様の作用効果をもたらすことができる。
【００３７】
本願請求項１８に記載の発明は、所定の搬送方向にロール紙を所定の搬送量で搬送するロール紙搬送手段と、該ロール紙搬送手段によって搬送されるロール紙の記録面に記録を実行する記録実行手段と、前記ロール紙搬送手段によって搬送される前記ロール紙の終端を検出可能なロール紙終端検出手段とを備えた記録装置において、前記ロール紙に対する記録制御をコンピュータに実行させるためのロール紙記録制御プログラムであって、記録実行中に前記ロール紙の終端を検出した時点で、前記記録実行手段の記録実行位置から前記ロール紙終端検出手段の検出位置までの長さを前記ロール紙の未記録領域長として記憶媒体に記憶し、前記ロール紙の終端検出以後、前記ロール紙を搬送する度に該搬送量を前記未記録領域長から減算し、減算した値で前記未記録領域長を更新する手順と、記録実行前に前記ロール紙の記録終了予定位置が、前記ロール紙終端検出手段の検出位置より前記搬送方向の下流側にある場合には、前記ロール紙の終端が前記ロール紙終端検出手段によって検出されていなければ、当該記録データを最後まで記録可能な前記ロール紙の未記録領域が残っていると判定して前記ロール紙に対する当該記録データの記録を実行する手順と、前記ロール紙の終端が前記ロール紙終端検出手段によって検出されていれば、前記未記録領域長と当該記録データの記録領域長を比較して当該記録データを最後まで記録可能な前記ロール紙の未記録領域が残っているか否かを判定する手順と、当該記録データを最後まで記録可能な前記ロール紙の未記録領域が残っていると判定した場合には、前記ロール紙に対する記録を実行する手順と、当該記録データを最後まで記録可能な前記ロール紙の未記録領域が残っていないと判定した場合には、前記ロール紙に対する当該記録データの記録を実行しない手順とを有する、ことを特徴としたロール紙記録制御プログラムである。
【００３８】
本願請求項１８に記載の発明に係るロール紙記録制御プログラムによれば、前述した本願請求項４に記載の発明と同様の作用効果を得ることができるとともに、このロール紙記録制御プログラムを実行することができる任意の記録装置に、前述した本願請求項４に記載の発明と同様の作用効果をもたらすことができる。
【００３９】
本願請求項１９に記載の発明は、請求項１５〜１８のいずれか１項において、当該記録データを最後まで記録可能な前記ロール紙の未記録領域が残っていないと判定して前記ロール紙に対する当該記録データの記録を実行しない場合には、前記ロール紙を終端まで排出する手順を有する、ことを特徴としたロール紙記録制御プログラムである。
【００４０】
本願請求項１９に記載の発明に係るロール紙記録制御プログラムによれば、前述した本願請求項５に記載の発明と同様の作用効果を得ることができるとともに、このロール紙記録制御プログラムを実行することができる任意の記録装置に、前述した本願請求項５に記載の発明と同様の作用効果をもたらすことができる。
【００４１】
本願請求項２０に記載の発明は、請求項１９において、当該記録データの記録を実行せずに前記ロール紙を終端まで排出した後、新しいロール紙が給紙された時点で当該記録データの記録を実行する手順を有する、ことを特徴としたロール紙記録制御プログラムである。
【００４２】
本願請求項２０に記載の発明に係るロール紙記録制御プログラムによれば、前述した本願請求項６に記載の発明と同様の作用効果を得ることができるとともに、このロール紙記録制御プログラムを実行することができる任意の記録装置に、前述した本願請求項６に記載の発明と同様の作用効果をもたらすことができる。
【００４３】
【発明の実施の形態】
以下、本願発明の一実施の形態を図面に基づいて説明する。
まず、本願発明に係る「記録装置」としてのインクジェット式記録装置の概略構成について説明する。図１は、本願発明に係るインクジェット式記録装置の一実施の形態を示した要部平面図であり、図２は、その要部側面図である。
【００４４】
インクジェット式記録装置５０には、定形サイズの普通紙やフォト専用紙等の定形サイズの記録紙、及びロール紙ＲＰ等の被記録材の記録面にインクを吐出して記録を実行する「記録実行手段」として、キャリッジガイド軸５１に軸支され、主走査方向Ｘに移動するキャリッジ６１が設けられている。キャリッジ６１には、被記録材にインクを吐出する記録ヘッド６２が搭載されている。記録ヘッド６２と対向して、記録ヘッド６２のヘッド面と被記録材の記録面との間隔を規定するプラテン５２が設けられている。そして、キャリッジ６１を主走査方向Ｘに搬送し、キャリッジ６１とプラテン５２の間に被記録材を副走査方向Ｙに搬送しながら、記録ヘッド６２のヘッド面から被記録材にインクを吐出することで被記録材に記録が行われる。
【００４５】
また、インクジェット式記録装置５０には、被記録材を給紙可能な構成を有する自動給紙装置が設けられている。自動給紙装置は、給紙トレイ５７に設けられた２つの給紙ローラ５８、及び図示してない分離パッドを有しており、給紙ローラ５８は、ステッピングモータ等の回転駆動力源により回転制御される。そして、２つの給紙ローラ５８の回転駆動力と、分離パッドの摩擦抵抗により、給紙トレイ５７に置かれた複数の記録紙を給紙する際に、複数の記録紙が一度に給紙されることなく１枚ずつ正確に自動給紙される。また、給紙トレイ５７の後方には、ロール紙ホルダ５９が設けられている。ロール紙ホルダ５９は、給紙トレイ５７に着脱可能な構成を成しており、ロール紙ＲＰを回転可能に軸支するものであり、ロール紙ＲＰは、図示の如く給紙トレイ５７を経由して給紙される。
【００４６】
さらに、インクジェット式記録装置５０には、給紙したロール紙ＲＰを副走査方向Ｙに間欠的に搬送する「ロール紙搬送手段」として、搬送駆動ローラ５３と搬送従動ローラ５４が設けられている。搬送駆動ローラ５３は、回転駆動力源により回転制御され、搬送駆動ローラ５３の回転により、ロール紙ＲＰは副走査方向Ｙに搬送される。搬送従動ローラ５４は複数設けられており、それぞれ個々に搬送駆動ローラ５３に付勢され、被記録材が搬送駆動ローラ５３の回転により搬送される際に、被記録材に接して被記録材の搬送に従動して回転する。尚、当然のことではあるが、普通紙等の定形サイズの被記録材も搬送駆動ローラ５３及び搬送従動ローラ５４によって搬送される。
【００４７】
また、給紙ローラ５８と搬送駆動ローラ５３との間には、第１の紙検出器６３が配設されている。従来技術において公知の技術による第１の紙検出器６３は、立位姿勢への自己復帰習性が付与され、かつ被記録材の搬送方向にのみ回動し得るよう被記録材の搬送経路内に突出する状態で枢支されたレバーを有し、このレバーの先端が被記録材に押されることでレバーが回動し、それによって被記録材の始端及び終端が検出される構成を成す検出器である。そして、第１の紙検出器６３にて検出した被記録材の始端及び終端位置に基づいて、被記録材の搬送動作や記録ヘッド６２からのインク吐出動作等が制御される。
【００４８】
さらに、インクジェット式記録装置５０には、記録された被記録材を排紙する手段として、排紙駆動ローラ５５と排紙従動ローラ５６が設けられている。排紙駆動ローラ５５は、回転駆動力源により回転制御され、排紙駆動ローラ５５の回転により、被記録材は副走査方向Ｙに排紙される。排紙従動ローラ５６は、周囲に複数の歯を有し、各歯の先端が被記録材の記録面に点接触するように鋭角的に尖っている歯付きローラとなっている。排紙従動ローラ５６は、それぞれ個々に排紙駆動ローラ５５に、搬送従動ローラ５４の付勢力よりも弱い付勢力で付勢され、被記録材が排紙駆動ローラ５５の回転により排紙される際に、被記録材に接して被記録材の排紙に従動して回転する。
【００４９】
さらに、インクジェット式記録装置５０には、排紙駆動ローラ５５及び排紙従動ローラ５６の副走査方向Ｙの下流側にロール紙ＲＰを切断する手段としてカッター装置７１が配設されている。カッター装置７１は、当該実施例においては、鋭利な刃でロール紙を符号Ｚで示した矢印の方向に上下から挟み切るものであるが、例えばロータリーカッター等、他の切断装置でも良い。また、インクジェット式記録装置５０は、制御部１を備えている。制御部１は、図示していないＣＰＵ（中央演算処理ユニット）、及びＲＯＭ、ＲＡＭ等のＣＰＵ周辺ユニットを有しており、記録実行制御手順以外に本願発明に係るロール紙記録制御手順等のロール紙ＲＰに記録を実行するための制御プログラムを実行して、ロール紙ＲＰへの記録、及びロール紙ＲＰの切断を実行する「ロール紙記録制御手段」としての機能を有している。
【００５０】
そして、ロール紙ホルダ５９には、「ロール紙終端検出手段」としての第２の紙検出器６４が配設されている。第２の紙検出器６４は、ロール紙ホルダ５９の近傍にてロール紙ＲＰの終端を検出するために配設されている。ここで、記録ヘッド６２の記録開始先頭ノズル位置Ａから第２の紙検出器６４の検出位置までの距離をＬとすると、この符号Ｌで示した長さは、第２の紙検出器６４にてロール紙ＲＰの終端を検出した時点におけるロール紙ＲＰに記録可能な未記録領域の長さということになる。制御部１は、第２の紙検出器６４がロール紙ＲＰの終端を検出した時点で長さＬを、その時点におけるロール紙ＲＰの「未記録領域長」としてＲＡＭ、あるいは不揮発性記憶媒体等（図示せず）に記憶する。
【００５１】
次に、本願発明に係る「ロール紙記録制御手段」にて、ロール紙ＲＰへの記録実行前にロール紙ＲＰの終端が第２の紙検出器６４にて検出されていない状態からロール紙ＲＰへの記録を実行する場合のロール紙記録制御手順について説明する。図３は、ロール紙ＲＰへの記録実行前にロール紙ＲＰの終端が第２の紙検出器６４（ロール紙終端検出手段）にて検出されていない場合に実行される手順を示したフローチャートである。
【００５２】
まず、ロール紙ＲＰを副走査方向Ｙへ搬送し、ロール紙ＲＰの記録終了予定位置を第２の紙検出器６４（ロール紙終端検出手段）の終端検出位置まで搬送する動作を開始する（ステップＳ１）。具体的には、搬送駆動ローラ５３を副走査方向Ｙへ一定の回転速度で駆動回転させてロール紙ＲＰを副走査方向Ｙへ搬送する動作を開始する。次に、ロール紙ＲＰの終端を検出したか否かを判定する手順（ステップＳ２）と、ロール紙ＲＰの記録終了予定位置を第２の紙検出器６４の終端検出位置まで搬送し終えたか否かを判定する手順（ステップＳ３）とを、ロール紙ＲＰの記録終了予定位置が第２の紙検出器６４の終端検出位置に搬送されるまで繰り返して（ステップＳ２でＮｏ→ステップＳ３でＮｏ→ステップＳ２）、ロール紙ＲＰの記録終了予定位置を第２の紙検出器６４の終端検出位置まで搬送する間にロール紙ＲＰの終端が検出されたか否かを判定する。
【００５３】
ロール紙ＲＰの記録終了予定位置を第２の紙検出器６４の終端検出位置まで搬送する間にロール紙ＲＰの終端が検出された場合には（ステップＳ２でＹｅｓ）、記録データの記録終了予定位置までロール紙ＲＰが無いことになるので、当該記録データを最後まで記録可能なロール紙ＲＰの未記録領域が残っていないと判定し、ロール紙ＲＰに対する当該記録データの記録を実行せずに、そのままロール紙ＲＰを終端まで排出して手順を終了する（ステップＳ５）。
【００５４】
一方、ロール紙ＲＰの記録終了予定位置を第２の紙検出器６４の終端検出位置まで搬送する間にロール紙ＲＰの終端が検出されなかった場合には（ステップＳ２でＮｏの後、ステップＳ３でＹｅｓ）、記録データの記録終了予定位置までロール紙ＲＰがあることになるので、当該記録データを最後まで記録可能なロール紙ＲＰの未記録領域が残っていると判定し、ロール紙ＲＰを元の位置まで逆送（副走査方向Ｙと反対方向に搬送）してからロール紙ＲＰに対する当該記録データの記録を実行する（ステップＳ４）。
【００５５】
このように、ロール紙ＲＰへの記録実行前にロール紙ＲＰの終端が第２の紙検出器６４にて検出されていない状態からロール紙ＲＰへの記録を実行する場合には、当該記録データを最後まで記録可能なロール紙ＲＰの未記録領域が残っていることを確認した後に、ロール紙ＲＰを元の位置まで逆送してロール紙ＲＰに対する記録を実行し、当該記録データを最後まで記録可能なロール紙ＲＰの未記録領域が残っていないと判定した場合には、記録を実行しないので、記録途中でロール紙ＲＰが不足して当該記録データを最後までロール紙ＲＰに記録できないことを防止することができる。
【００５６】
つづいて、本願発明に係る「ロール紙記録制御手段」にて、ロール紙ＲＰへの記録実行中に終端を検出したときの手順、及びロール紙ＲＰへの記録実行前にロール紙ＲＰの終端が第２の紙検出器６４にて検出されている状態からロール紙ＲＰへの記録を実行する場合のロール紙記録制御手順について説明する。
【００５７】
図４は、ロール紙ＲＰへの記録実行中にロール紙ＲＰの終端が第２の紙検出器６４にて検出された場合の手順を示したフローチャートである。当該手順は、ロール紙ＲＰへの記録実行中に定周期で繰り返し実行される手順である。
【００５８】
まず、ロール紙ＲＰの終端が紙検出器６４にて検出されたか否かを判定する（ステップＳ１１）。ロール紙ＲＰの終端が検出されていなければ（ステップＳ１１でＮｏ）、そのまま手順を終了する。一方、ロール紙ＲＰの終端が検出されている場合には（ステップＳ１１でＹｅｓ）、つづいて、ロール紙ＲＰの終端を紙検出器６４にて検出後のロール紙ＲＰの搬送量を取得する（ステップＳ１２）。具体的には、ロール紙ＲＰの終端を検出した後、ロール紙ＲＰが搬送される度に搬送駆動ローラ５３の回転量等から演算してロール紙ＲＰの搬送量を算出する。つづいて、記憶媒体に記憶されている（ロール紙ＲＰの）未記録領域長を取得する（ステップＳ１３）。記憶媒体に記憶されている未記録領域長は、ロール紙ＲＰの終端を紙検出器６４にて検出した時点で前述した長さＬに設定されて記憶媒体に記憶される。そして、ロール紙ＲＰが搬送される度に、記憶媒体に記憶されている未記録領域長からその搬送量を減算した値を、ロール紙ＲＰ搬送後の未記録領域長に設定し（ステップＳ１４）、記憶媒体に記憶されている未記録領域長をロール紙ＲＰ搬送後の未記録領域長に変更して未記録領域長を更新する（ステップＳ１５）。
【００５９】
このように、まず、記録実行中にロール紙ＲＰの終端を検出した時点で、記録実行手段の記録実行位置（記録ヘッド６２の記録開始先頭ノズル位置Ａ）からロール紙終端検出手段の検出位置までの長さＬをロール紙ＲＰの未記録領域長として記憶媒体に記憶する。そして、ロール紙ＲＰの終端検出以後、ロール紙ＲＰを搬送する度に、その搬送量を未記録領域長から減算し、減算した値で未記録領域長を更新する。それによって、ロール紙ＲＰの残りの長さを的確に検出することができる。
【００６０】
図５は、ロール紙ＲＰへの記録実行前にロール紙ＲＰの終端が第２の紙検出器６４にて既に検出されている場合に実行される手順を示したフローチャートである。
【００６１】
まず、当該記録データの記録領域長を取得する（ステップＳ２１）。具体的には、インクジェット式記録装置５０に接続されたパーソナルコンピュータ等の情報処理装置やフラッシュメモリ等の外部記憶媒体から取得した当該記録データに含まれる記録紙サイズ等から取得する。つづいて、前述した記憶媒体に記憶されているロール紙ＲＰの未記録領域長を取得する（ステップＳ２２）。そして、取得したロール紙ＲＰの未記録領域長と当該記録データの記録領域長とを比較し、ロール紙ＲＰの未記録領域長が当該記録データの記録領域長より短いか否かを判定する（ステップＳ２３）。つまり、ロール紙ＲＰの残りの未記録領域に当該記録データを最後まで記録可能か否かを判定する。
【００６２】
ロール紙ＲＰの未記録領域長が当該記録データの記録領域長以上ある場合には（ステップＳ２３でＮｏ）、当該記録データを最後まで記録可能なロール紙ＲＰの未記録領域が残っていると判定し、ロール紙ＲＰに対する当該記録データの記録を開始して手順を終了する（ステップＳ２７）。一方、ロール紙ＲＰの未記録領域長が当該記録データの記録領域長より短い場合には（ステップＳ２３でＹｅｓ）、当該記録データを最後まで記録可能なロール紙ＲＰの未記録領域が残っていないと判定し、ロール紙ＲＰに対する当該記録データの記録を実行せずに、そのままロール紙ＲＰを終端まで排出する（ステップＳ２４）。そして、新しいロール紙ＲＰをロール紙ホルダ５９にセットして給紙した後（ステップＳ２５）、ロール紙ＲＰに対する当該記録データの記録を開始して手順を終了する（ステップＳ２７）。
【００６３】
このように、記録実行中にロール紙ＲＰの終端が検出された後は、次の記録データをロール紙ＲＰへ記録する前に記憶手段に記憶されている未記録領域長と当該記録データの記録領域長とを比較して、当該記録データを最後まで記録可能なロール紙ＲＰの未記録領域が残っているか否かを判定する。そして、当該記録データを最後まで記録可能なロール紙ＲＰの未記録領域が残っていると判定した場合には、ロール紙ＲＰに対する記録を実行し、当該記録データを最後まで記録可能なロール紙ＲＰの未記録領域が残っていないと判定した場合には、ロール紙ＲＰに対する当該記録データの記録を実行しないので、記録途中でロール紙ＲＰが無くなってしまい、それまでの記録が無駄になってしまうことを防止することができる。また、ロール紙ＲＰの未記録領域が足りない場合には、ロール紙ＲＰを排出することによって、そのことをユーザーに知らせることができるとともに、新しいロール紙ＲＰをセットすることをユーザーに促すことができる。
【００６４】
このようにして、当該実施の形態に示したインクジェット式記録装置５０は、ロール紙ＲＰに対して記録を実行する前に、当該記録データを最後まで記録可能なロール紙ＲＰの未記録領域が残っているか否かを確認することができるので、ロール紙ＲＰに記録を実行する際に、全ての記録を終える前にロール紙ＲＰの終端に達して最後まで記録を実行できず、記録が途中で終わってしまうことを防止することができる。
【００６５】
また、他の実施の形態としては、上記一実施の形態に加えて、ロール紙ＲＰの残量が一定量以上あるか否かを検出する「ロール紙残量検出手段」を備えたものが挙げられる。つまり、ロール紙ＲＰが大量に残っている状態では、記録データを最後まで記録することが可能であることは間違いないので、ロール紙ＲＰの残量が一定量未満になった時点から、ロール紙ＲＰに対して記録を実行する前に当該記録データを最後まで記録可能なロール紙ＲＰの未記録領域が残っているか否かを確認するものである。
【００６６】
図６は、ロール紙ＲＰの残量が一定量未満になった時点から、ロール紙ＲＰへの記録実行前にロール紙ＲＰの終端が第２の紙検出器６４にて検出されていない場合に実行される手順を示したフローチャートである。
【００６７】
まず、ロール紙残量検出手段の検出状態からロール紙ＲＰの残量が一定量以上あるか否か、つまり、ロール紙ＲＰの十分な残量があるか否かを判定する（ステップＳ３１）。ロール紙残量検出手段の検出状態からロール紙ＲＰの残量が一定量以上ある場合には、つまり、ロール紙ＲＰの十分な残量がある場合には（ステップＳ３１でＹｅｓ）、当該記録データを最後まで記録することが可能であることは間違いないと判定して、当該記録データの記録を開始して手順を終了する。一方、ロール紙残量検出手段の検出状態からロール紙ＲＰの残量が一定量未満である場合には、つまり、ロール紙ＲＰの十分な残量が無い場合には（ステップＳ３１でＮｏ）、ロール紙ＲＰを副走査方向Ｙへ搬送し、ロール紙ＲＰの記録終了予定位置を第２の紙検出器６４（ロール紙終端検出手段）の終端検出位置まで搬送する動作を開始する（ステップＳ３３）。以下、ステップＳ３３〜Ｓ３７までは、図３に示したフローチャートのステップＳ１〜Ｓ５と全く同様の手順となるので説明は省略する。
【００６８】
このように、ロール紙ＲＰの残量が一定量未満になるまでは、ロール紙ＲＰの未記録領域と記録データの記録領域とを比較せずに記録を実行することによって、ロール紙ＲＰが十分残っているときに無駄にロール紙ＲＰの搬送と逆送とを繰り返してしまうことを防止することができる。
【００６９】
さらに、他の実施の形態としては、前述した一実施の形態において、ロール紙ＲＰの終端を第２の紙検出器６４にて検出するまでは、ロール紙ＲＰの未記録領域と記録データの記録領域とを比較せずに記録を実行するものが挙げられる。
【００７０】
これは、ロール紙ＲＰの終端が第２の紙検出器６４にて検出されていない状態においては、当該記録データの記録を最後まで実行可能なロール紙ＲＰの未記録領域が残っているかを確認しないで記録を実行するものである。つまり、記録実行手段の記録実行位置（記録ヘッド６２の記録開始先頭ノズル位置Ａ）からロール紙終端検出手段の検出位置までの長さＬが十分長く設定可能なインクジェット式記録装置５０ならば、ロール紙ＲＰの終端を第２の紙検出器６４にて検出するまでは、十分なロール紙ＲＰの残量があるとみなすことができる。
【００７１】
したがって、そのようなインクジェット式記録装置５０においては、図３に示したロール紙ＲＰへの記録実行前にロール紙ＲＰの終端が第２の紙検出器６４にて検出されていない場合に実行される手順を行わずに、図４に示したロール紙ＲＰへの記録実行中にロール紙ＲＰの終端が第２の紙検出器６４にて検出された場合の手順、及び図５に示したロール紙ＲＰへの記録実行前にロール紙ＲＰの終端が第２の紙検出器６４にて既に検出されている場合に実行される手順だけで、ロール紙ＲＰに記録を実行する際に、全ての記録を終える前にロール紙ＲＰの終端に達して最後まで記録を実行できず、記録が途中で終わってしまうことを防止することができる。
【００７２】
尚、本願発明は上記実施例に限定されることなく、特許請求の範囲に記載した発明の範囲内で、種々の変形が可能であり、それらも本願発明の範囲内に含まれるものであることは言うまでもない。
【００７３】
【発明の効果】
本願発明によれば、ロール紙に記録を実行する際に、全ての記録を終える前にロール紙の終端に達して最後まで記録を実行できず、記録が途中で終わってしまうことを防止することができる。
【図面の簡単な説明】
【図１】本願発明に係るインクジェット式記録装置の一実施の形態を示した要部平面図である。
【図２】本願発明に係るインクジェット式記録装置の一実施の形態を示した要部側面図である。
【図３】ロール紙への記録実行前にロール紙の終端がロール紙終端検出手段にて検出されていない場合に実行される手順を示したフローチャートである。
【図４】ロール紙への記録実行中にロール紙の終端がロール紙終端検出手段にて検出された場合の手順を示したフローチャートである。
【図５】ロール紙への記録実行前にロール紙の終端がロール紙終端検出手段にて既に検出されている場合に実行される手順を示したフローチャートである。
【図６】ロール紙の残量が一定量未満になった時点から、ロール紙への記録実行前にロール紙の終端がロール紙終端検出手段にて検出されていない場合に実行される手順を示したフローチャートである。
【符号の説明】
１　　制御部
５０　インクジェット式記録装置
５１　キャリッジガイド軸
５２　プラテン
５３　搬送駆動ローラ
５４　搬送従動ローラ
５５　排紙駆動ローラ
５６　排紙従動ローラ
５７　給紙トレイ
５８　給紙ローラ
５９　ロール紙ホルダ
６１　キャリッジ
６２　記録ヘッド
６３　第１の紙検出器
６４　第２の紙検出器
７１　カッター装置
ＲＰ　ロール紙
Ｘ　主走査方向
Ｙ　副走査方向
【図１】
2004067343.tif 000003
【図２】
2004067343.tif 000004
【図３】
2004067343.tif 000005
【図４】
2004067343.tif 000006
【図５】
2004067343.tif 000007
【図６】
2004067343.tif 000008